(57)【要約】  【課題】  珪藻土を利用してマイナスイオンを生成させる空気環境改善技術を改良し、住宅の居住空間などに大量のマイナスイオンを安定的に供給して空気環境改善機能を向上させる。  【解決手段】  通気路１２が多数密接して配置されたハニカム構造に形成され、平均細孔半径１０〜１００Åの無機多孔質材料を含むマイナスイオン発生体１０に、貯水槽２０の水Ｗを吸水させた状態にするなどして、環境改善すべき空気を６０％ＲＨ以上の湿潤空気に調整する湿度調整工程（ａ）と、前記工程（ａ）で得られた湿潤空気をマイナスイオン発生体１０に通過させてマイナスイオンを大量に発生させる工程（ｂ）とを行う。【選択図】  図１
2006002983.tif 000002
【特許請求の範囲】
【請求項１】
環境改善すべき空気を６０％ＲＨ以上の湿潤空気に調整する湿度調整工程（ａ）と、
前記工程（ａ）で得られた湿潤空気を、平均細孔半径２０〜８０Åの無機多孔質材料を含むマイナスイオン発生体に通過させるマイナスイオン発生工程（ｂ）と
を含む空気環境改善方法。
【請求項２】
前記マイナスイオン発生体に水分を供給する工程（ｃ）をさらに含み、
前記環境改善すべき空気を、前記水分を保持した無機多孔質材料からなるマイナスイオン発生体に通過させ、前記空気を無機多孔質材料から供給される水分で６０％ＲＨ以上の湿潤空気に調整することによって、前記湿度調整工程（ａ）とマイナスイオン発生工程（ｂ）とを同時に行う
請求項１に記載の空気環境改善方法。
【請求項３】
６０％ＲＨ以上の湿潤空気を生成する湿潤空気供給部と、
前記湿潤空気供給部から供給される湿潤空気の通過経路に配置され、平均細孔半径２０〜８０Åの無機多孔質材料を含むマイナスイオン発生体を有するマイナスイオン発生部と
を備える空気環境改善装置。
【請求項４】
前記マイナスイオン発生体が、前記無機多孔質材料を含む材料を成形してなり、前記湿潤空気の通過方向に貫通する通気路が多数並設されたハニカム構造を有する
請求項３に記載の空気環境改善装置。
【請求項５】
前記マイナスイオン発生体が前記無機多孔質材料の粒塊物からなり、
前記マイナスイオン発生体を収容し、前記湿潤空気の流入口および排出口と水の供給口とを有する収容室をさらに備える
請求項３に記載の空気環境改善装置。
【請求項６】
前記マイナスイオン発生体に含まれる無機多孔質材料が、焼成温度１０００℃以下で焼成されてなる
請求項３〜５の何れかに記載の空気環境改善装置。
【請求項７】
前記マイナスイオン発生体が、前記無機多孔質材料に加えて放射性材料を含む
請求項３〜６の何れかに記載の空気環境改善装置。
【発明の詳細な説明】
【技術分野】
【０００１】
本発明は、空気環境改善方法および空気環境改善装置に関し、詳しくは、健康に好ましいとされているマイナスイオンを豊富に含む空気を生成することで空気環境を改善する方法と、このような方法に用いる空気環境改善装置とを対象にしている。
【背景技術】
【０００２】
空気中にマイナスイオンが大量に含まれていると、人間の健康に好ましい環境になるとされている。
マイナスイオンを効率的に発生させるために種々の技術が提案されている。
例えば、特許文献１には、住宅用壁材の材料に、吸放湿作用に優れた珪藻土を配合しておくことで、吸放湿作用と同時にマイナスイオンを放出させる技術が示されている。
珪藻土は、天然の材料であるため、合成化学物質などの使用する技術に比べて、安全性や人体に対する悪影響が少ないという利点がある。
【特許文献１】特開２００４−８３３３３号公報
【発明の開示】
【発明が解決しようとする課題】
【０００３】
前記した珪藻土を利用するマイナスイオン放出技術は、十分な量のマイナスイオンを安定して放出させることが困難である。
その理由の一つは、珪藻土という物質そのものが有するマイナスイオン放出性能が十分ではないことである。
別の理由として、珪藻土のマイナスイオン放出性能は、環境条件に大きく影響を受け、環境によって、極端にマイナスイオン放出性能が低下することがある。
本発明の課題は、前記した珪藻土を利用してマイナスイオンを生成させる空気環境改善技術をさらに改良して、住宅の居住空間などに大量のマイナスイオンを安定的に供給して空気環境改善機能を向上させることである。
【課題を解決するための手段】
【０００４】
本発明にかかる空気環境改善方法は、環境改善すべき空気を６０％ＲＨ以上の湿潤空気に調整する湿度調整工程（ａ）と、前記工程（ａ）で得られた湿潤空気を、平均細孔半径２０〜８０Åの無機多孔質材料からなるマイナスイオン発生体に通過させるマイナスイオン発生工程（ｂ）とを含む。
〔空気環境〕
マイナスイオンを供給して、良好な環境に改善することが有用な空気環境である。
例えば、住宅の居住空間など建築物の屋内空間が挙げられる。病院や老人施設なども対象になる。動物や植物の飼育空間も挙げられる。庭園などの屋外環境にも適用できる。
【０００５】
これらの環境に存在する空気を、ダクトなどで取り出し、別の場所に設置された空気環境改善装置で、マイナスイオンを供給して空気環境改善を行ったあと、元の環境に送り返すこともできる。マイナスイオンが供給された空気を別の場所に送り込むこともできる。
〔湿度調整工程（ａ）〕
環境改善すべき空気を、６０％ＲＨ以上の湿潤空気に調整する。湿度が低ければ、目的とするマイナスイオンの生成が十分に行われ難くなる。
通常の空気環境は、降雨時や梅雨期などには、６０％ＲＨ以上の湿度を有している場合もある。このような高湿環境では、特別な処理操作を加えなくても、６０％ＲＨ以上の湿潤空気になる。しかし、年間を通してみたり、天候の変化を考慮したりすると、湿度が６０％ＲＨを下回る時期や環境も多い。空調機や暖房機を稼動させている環境では、低湿度環境になり易い。
【０００６】
したがって、湿度が６０％ＲＨを下回るときには、空気に湿気あるいは水などの水分を強制的に供給するなどして、湿度を上昇させる操作を行う必要がある。空気の湿度を高める手段としては、通常の加湿器や加湿機構が採用できる。例えば、不織布などの吸水性と通気性を有する材料に吸水させた状態で空気を通過させれば、通過した空気の湿度が上昇する。材料自体には吸水性や吸湿性、通気性はなくても、微細な吸水孔や通気孔を設けた材料を使用しても、空気の湿度を上昇させることができる。空気を加温した温風を加湿フィルターに通過させれば、効率的に水分の供給、湿度の上昇を行うことができる。水を、超音波や熱で霧化して空中に放出することも有用である。水のシャワーやカーテンに空気を通過させることも有用である。
【０００７】
湿度調整は、元々の空気の湿度が６０％ＲＨ以上であれば、湿度を上昇させる操作を行わなくてもよい。湿度が６０％ＲＨを下回ったときだけに、前記した手段で湿度を上昇させればよい。
空気の湿度を検知し、検知された湿度にもとづいて、湿度を上昇させる操作を行ったり、湿度上昇の程度を調節したり、湿度の上昇操作を中断したりする制御を行うことができる。
〔マイナスイオン発生工程（ｂ）〕
湿潤空気をマイナスイオン発生体に通過させることによって、マイナスイオンが大量に含まれた空気が得られる。
【０００８】
＜マイナスイオン発生体＞
マイナスイオン発生体のマイナスイオン発生作用を果たす材料として、平均細孔半径２０〜８０Åの無機多孔質材料を用いる。平均細孔半径２０〜６０Åが好ましい。無機多孔質材料の微細な細孔を水分が出入りすることで、空気中に含まれる水蒸気のクラスターが小さくなり、大量のマイナスイオンが発生する。細孔が大き過ぎると、細孔を通過する水蒸気の毛細管凝縮が起こり難く、マイナスイオンの発生作用が十分に生じない。細孔が小さいほうが、マイナスイオンの発生作用は良好に発揮される。但し、細孔が小さ過ぎると、細孔に入った水が脱離し難くなり、却って、マイナスイオンの発生作用が低下する。
【０００９】
無機多孔質材料としては、平均細孔半径の条件を満足できる材料であれば、天然および合成された無機多孔質材料が使用できる。例えば、硅質頁岩が使用できる。硅質頁岩は、微細な細孔構造を有し、湿気の吸放湿作用が非常に高く、マイナスイオン発生機能が優れている。硅質頁岩は、湿度を一定範囲に調整する調湿機能や脱臭機能、揮発性ガス吸着機能などの各種の空気環境改善機能も優れている。その他に、無機多孔質材料として、アロフェン、セピオライト、活性白土なども使用できる。通常の珪藻土は、前記した硅質頁岩に比べて細孔が大きいため、前記した細孔内での凝縮水が発生し難く、マイナスイオンの発生量が少ない。空気環境改善機能が硅質頁岩よりも劣る。
【００１０】
マイナスイオン発生体は、無機多孔質材料をそのまま使用することができる。天然材料の場合、採掘されたままの形態、採掘後に取り扱い易い大きさに砕いたり成形したりした形態で使用できる。適当な大きさの粒塊状に加工しておけば、取り扱い易く、通気性も良好になる。粒塊状のマイナスイオン発生体として、平均粒径３〜１００ｍｍの範囲のものが使用できる。無機多孔質材料を焼成することによって、品質性能を安定させたり、より向上させたりすることができる。硅質頁岩などの無機多孔質材料は、焼成温度１０００℃以下で焼成すれば、本来有していたマイナスイオン発生機能を損なうことが少ない。
無機多孔質材料を含む材料を成形して、成形物の形態で使用することができる。無機多孔質材料が粉砕して成形できる材料であれば、無機多孔質材料のみの成形品が得られる。無機多孔質材料に、粘土や水硬性材料などのバインダー成分、その他の添加材料を加えて成形することもできる。成形方法として、注型成形のほか、押出成形やプレス成形も適用できる。成形物を焼成して、焼成物として使用することもできる。焼成物を得るための焼成温度は、マイナスイオン発生機能などの空気環境改善機能を良好に発揮させるために、１０００℃以下が好ましい。より好ましくは９００℃以下である。
【００１１】
マイナスイオン発生体の形状構造は、湿潤空気が通過し易く、マイナスイオンが発生し易いものが好ましい。単純には板体状のものが使用できる。板体に多数の通気孔を設けておくことが有効である。多数の通気路が密接して並設配置されたハニカム構造が好ましい。ハニカム構造の通気路は、蜂の巣のような六角形のほか、矩形や円形その他の図形状が採用できる。板体を折り畳んだ構造や、段ボールのような積層構造にしておくことも有効である。パイプ状やメッシュ状をなすものも採用できる。
＜放射性材料＞
マイナスイオン発生体として、無機多孔質材料に加えて放射性材料を有することで、マイナスイオン発生作用を向上させることができる。
【００１２】
放射性材料は、放射線を放出する放射能を示す放射性元素（核種）を含む。半減期の長い自然放射性元素（核種）が好ましい。鉱物中に安定な形で含有されている放射性元素が好ましい。例えば、トリウム（２３２Ｔｈ、半減期：１．４×１０１０年）やウラン（主に２３８Ｕ、半減期：４．５×１０９年）が挙げられる。複数の放射性元素を組み合わせることもできる。実用的には、放射性元素あるいは放射性物質を含有する放射性鉱物が使用される。原子力燃料として利用されているウラン含有鉱物が入手容易である。
具体的には、モナザイト[（Ｃｅ、Ｌａ、Ｔｈ）ＰＯ４、ＴｈＯ２：６％、Ｕ３Ｏ８：０．３％]、パイロクロア[（Ｎａ、Ｃａ）（Ｎｂ、Ｔａ、Ｔｉ）２Ｏ６（Ｏ，ＯＨ、Ｆ）、ＴｈＯ２：０．５％、Ｕ３Ｏ８：１％]、ゼニタイム[ＹＰＯ４ｅｔｃ、ＴｈＯ２：１％、Ｕ３Ｏ８：１％]などが好ましい。これらの中でも特に、世界的に広く算出し、トリウムを比較的に多く含有する点で、モナザイトが好ましい。放射性鉱物としては、これらの鉱物の精錬工程で得られるトリウム、ウランを含む中間鉱物も有利に利用できる。複数の放射性鉱物を組み合わせて使用することもできる。
【００１３】
放射性材料は、無機多孔質調湿材に作用して、無機多孔質調湿材が本来有している調湿機能や有害ガス除去機能、マイナスイオン発生機能などを向上させる。放射性材料の配合割合が重要である。無機多孔質調湿材：放射性材料＝７５：２５〜９９．５：０．５の重量割合で配合することができる。好ましくは、無機多孔質調湿材：放射性材料＝９０：１０〜９９．５：０．５である。
＜その他の配合材料＞
有機物や高分子物質を分解して環境改善を果たす機能を有する触媒物質を配合できる。具体的には、チタン、燐酸チタニウム、鉄化合物などが挙げられる。放射性物質が存在していると、放射性物質が放出する放射線エネルギーの作用によって、触媒物質の触媒作用あるいは分解能力が大幅に向上する。
【００１４】
〔水分供給工程（ｃ）〕
マイナスイオン発生体に吸水させたり吸湿させたりして、水分を供給する。マイナスイオン発生体を、マイナスイオン発生作用だけでなく、湿潤空気の調整作用にも利用することが可能になる。ここで、吸水とは、水分を液体である水の形態で吸収する作用を意味し、吸湿とは、水分を水蒸気の形態で吸収する作用を意味する。何れかの作用あるいは両方の作用を組み合わせて、水分を供給すればよい。以下の説明では、吸水と吸湿とを合わせて、吸水と呼ぶことがある。
環境改善すべき空気を、水分を吸収保持したマイナスイオン発生体に通過させ、マイナスイオン発生体から供給される水分で湿潤空気に調整することができる。前記湿度調整工程（ａ）とマイナスイオン発生工程（ｂ）とを同時に行うことになる。
【００１５】
この場合、マイナスイオン発生体が、吸水性の良い材料で構成されているか、吸水性を高める構造を付加しておく必要がある。例えば、無機多孔質材料は、材料そのものが吸水性を示す。無機多孔質材料を含む材料から製造される成形物や焼成物も、吸水性を発揮することができる。マイナスイオン発生体に毛管状の細孔や細溝などを設けて、吸水性を高めることもできる。マイナスイオン発生体に隣接して、吸水性シートや吸水パイプなどを付設しておくこともできる。
マイナスイオン発生体に、水供給ノズルや水供給シャワーから水を供給して吸水させることもできる。湿潤空気調整工程で使用される湿気や水分の供給手段が適用できる。
【００１６】
〔空気環境改善装置〕
前記した空気環境改善作用が良好に発揮できるように、湿潤空気の調整およびマイナスイオン発生を行う。
＜湿潤空気供給部＞
湿潤空気を生成する湿潤空気供給部を備えておく。前記した加湿器その他の加湿手段が設けられる。
湿度を検知するセンサ機構や、加湿手段を制御する制御機構を備えることもできる。
空気を強制的に供給する送風ファンや送風ダクト機構を備えておくこともできる。整流板などで空気の流れを制御することもできる。加湿作用を高めるために、空気の加温手段を備えておくこともできる。
【００１７】
＜マイナスイオン発生部＞
湿潤空気供給部から供給される湿潤空気の通過経路に配置され、無機多孔質材料を含むマイナスイオン発生体を備える。
マイナスイオン発生体を支持する支持構造を備えることができる。マイナスイオン発生体に湿潤空気が効率的に供給されるように、湿潤空気の案内路や整流機構を備えておくことができる。
マイナスイオン発生体が、独立して取り扱える成形物や焼成物ではなく、粒塊物や粉体の集積体である場合は、マイナスイオン発生体の収容構造を備えておくことが望ましい。
【００１８】
具体的には、マイナスイオン発生体を収容し、湿潤空気の流入口および排出口と水の供給口とを有する収容室を備えることができる。収容室の材料は、金属や合成樹脂、セラミックなどの構造材料が使用できる。不織布や合成樹脂シートなどの柔軟なシート材料を使用することもできる。収容室の材料が通気性を有するものであれば、特別な流入口や排出口、水の供給口を設けなくてもよい場合もある。
【発明の効果】
【００１９】
本発明にかかる空気環境改善方法および装置では、環境改善すべき空気を特定湿度の湿潤空気に調整してから、微細な細孔を有する無機多孔質材料を含むマイナスイオン発生体に通過させることで、無機多孔質材料の細孔を出入りする水分から大量のマイナスイオンが生成され、湿潤空気に供給される。無機多孔質材料を含むマイナスイオン発生体のほかには、特別な物質や複雑な装置機構を使用しなくても、マイナスイオンが大量に含まれた空気を供給することができ、空気環境を有効に改善することができる。湿潤空気を用いることで、マイナスイオンの生成作用を安定して確実に機能させることができ、優れた性能を安定して発揮させることができる。
【発明を実施するための最良の形態】
【００２０】
〔ハニカム構造のマイナスイオン発生体〕
図１に示す実施形態は、ハニカム構造のマイナスイオン発生体を用いる。
マイナスイオン発生体１０は、無機多孔質材料である硅質頁岩を含む成形材料を成形し焼成して得られる。全体が矩形の厚板状をなす。表面から裏面へと貫通する断面矩形の通気路１２が前後左右に密に並んで配置されたハニカム構造を構成している。
マイナスイオン発生体１０は、貯水槽２０に立てた状態で配置されている。貯水槽２０には、水Ｗが貯えられている。水Ｗに、マイナスイオン発生体１０の下部が浸かっている。無機多孔質材料を含むマイナスイオン発生体１０は、水Ｗを吸い上げる。マイナスイオン発生体１０の全体が水Ｗを含んだ状態になっている。硅質頁岩の微細な細孔内部に、水Ｗが吸収保持される。
【００２１】
この状態で、図の左側に示す白矢印の方向から空気を供給する。空気の供給は、送風ファンや送風ダクトで強制的に行ってもよいし、自然の対流や風によっても行われる。
空気流は、マイナスイオン発生体１０の通気路１２を通過する。空気流は、通気路１２の内表面と接触しながら通過する。マイナスイオン発生体１０に吸水保持されている水Ｗは、空気流との接触によって蒸発し、空気の湿度を上昇させ、湿潤空気を作る。湿潤空気は、当然、マイナスイオン発生体１０と接触するので、マイナスイオン発生体１０の作用によって、空気中にマイナスイオンが大量に発生する。
マイナスイオン発生体１０を通過した空気は、図の右側に点模様付き矢印で示すように、マイナスイオンを大量に含む湿潤空気となって、環境に放出される。硅質頁岩からなるマイナスイオン発生体１０は、マイナスイオン発生機能に加えて、脱臭機能や揮発性ガス除去機能もあるので、環境に放出される空気は、臭いや揮発性ガスが低減されている。健康にとって、より好ましく、快適な空気環境が実現できる。
【００２２】
〔板状のマイナスイオン発生体〕
図２に示す実施形態は、板状のマイナスイオン発生体と吸水フィルターを用いる。
前記実施形態と同様の貯水槽２０に水Ｗが貯えられている。貯水槽２０の水Ｗに、不織布などからなる吸水フィルター３０の下端が浸けられている。水Ｗは、毛細管作用によって、吸水フィルター３０の上部まで吸水保持される。
図の左側の白矢印方向から空気が供給される。空気が吸水フィルター３０を通過すると、吸水フィルター３０から蒸発した水分により空気が加湿されて湿潤空気となる。
吸水フィルター３０に対して空気流の下流側には、前記実施形態と同様の無機多孔質材料を含む成形板からなるマイナスイオン発生体１０が配置されている。マイナスイオン発生体１０は、無機多孔質材料が有する細孔、成形材料となる粒子間の隙間などにより、多孔質構造を有しており、材質そのものが通気可能になっている。
【００２３】
湿潤空気は、マイナスイオン発生体１０を通過する。湿潤空気がマイナスイオン発生体１０を通過すると、マイナスイオン発生体１０の微細な細孔内部で、湿潤空気が凝縮する。細孔内部で生成された凝縮水の微細な粒が、再び空気中に戻されることで、大量のマイナスイオンを発生させる。マイナスイオンを大量に含む湿潤空気が得られ、図の右側に点模様付き矢印で示す方向に放出される。
前記実施形態のようにマイナスイオン発生体１０を吸水させるよりも、この実施形態のように、吸水フィルター３０で加湿された湿潤空気を、マイナスイオン発生体１０に供給したほうが、マイナスイオンの発生効率が良くなる。
【００２４】
上記実施形態において、板状のマイナスイオン発生体１０を、前記実施形態で使用されているハニカム構造のマイナスイオン発生体１０（図１参照）を使用することができる。湿潤空気とマイナスイオン発生体１０との接触がより良好に行われ、マイナスイオンを効率的に放出させることができる。
〔粒塊状のマイナスイオン発生体〕
図３に示す実施形態は、粒塊状のマイナスイオン発生体１０を用いる。
前記した無機多孔質材料である硅質頁岩の粒塊物を用意する。採鉱された硅質頁岩を、適当な粒径範囲になる程度に粉砕すれば、硅質頁岩の粒塊物が得られる。
【００２５】
金属や合成樹脂からなる収容室４０を用いる。収容室４０は、周囲を壁面で囲まれた密閉状態であり、粒塊状のマイナスイオン発生体１０が充填されている。収容室４０の一端には、空気の流入口４２が開口し、他端には、空気の排出口４４が開口している。空気が通過できるようになっている。収容室４０には、水Ｗの供給口４６も設けられている。水供給口４６には、配水管を連結するなどして、水が供給されるようにしておく。水供給口４６から供給された水Ｗは、マイナスイオン発生体１０に吸収保持される。
このような状態で、図の左側に白矢印で示す方向から空気を供給する。流入口４２から収容室４０に入った空気流は、粒塊状のマイナスイオン発生体１０の隙間およびマイナスイオン発生体１０が有する細孔隙間を通過して、排出口４４から、図の右側に点模様付き矢印で示す方向に放出される。
【００２６】
収容室４０内で、通過する空気にはマイナスイオン発生体１０に含まれた水分が供給され、湿潤空気となる。湿潤空気がマイナスイオン発生体１０と接触することで、大量のマイナスイオンが発生する。マイナスイオンが大量に含まれた湿潤空気が、排出口４４から環境に放出されることになる。
水供給口４６から供給する水量と、収容室４０を通過する空気量とを適切に調整することで、環境に放出される空気の湿度および空気に含まれるマイナスイオンの量を調節することができる。
【実施例】
【００２７】
本発明の空気環境改善方法を具体的に実施し、その性能を評価した。
〔マイナスイオン発生体〕
実施例１：稚内珪藻土（硅質頁岩）の粉砕粒（粒径約３ｃｍ）を、直径１０ｃｍ、高さ１０ｃｍのパイプ状容器に、容器高さの半分まで充填して使用した。
実施例２：市販の稚内珪藻土タイル（１０ｃｍ角、厚さ８ｍｍ）を５枚重ねにして使用した。
〔試験装置〕
恒温恒湿槽内に設置したアクリルボックス（長さ４０ｃｍ×奥行き１５ｃｍ×高さ２５ｃｍ）に、マイナスイオン発生体を配置し、その隣りにマイナスイオンカウンター（アンデス電気社製）を設置した。マイナスイオンカウンターの空気吸込み口に隣接してマイナスイオン発生体が配置される。
【００２８】
〔マイナスイオン測定〕
マイナスイオンカウンターを作動させると、マイナスイオン発生体を通過してマイナスイオンカウンターに吸い込まれる空気流が発生する。マイナスイオン発生体で発生したマイナスイオンが計測される。
恒温恒湿槽の温度を２０℃で一定にした状態で、湿度を変化させ、アクリルボックス内の湿度とマイナスイオン発生数との関係を測定した。その結果は以下のとおりである。
【００２９】
【表１】
2006002983.tif 000003
【００３０】
〔評価〕
(1) 実施例１、２の何れの場合も、湿度が６０％ＲＨ以上になると、急激にマイナスイオン発生数が増大している。
特別なマイナスイオン発生装置を全く使用しなくても、マイナスイオン発生体を通過する空気の湿度を調整しておくだけで、効率的に大量のマイナスイオンを発生させることが可能になることが実証された。
【産業上の利用可能性】
【００３１】
本発明は、例えば、住宅の室内空間に設置され、居住者が生活する空気環境を、マイナスイオンが豊富に含まれるなど、健康にとって良好な環境に改善することができる。
【図面の簡単な説明】
【００３２】
【図１】本発明の実施形態を表す空気環境改善装置の模式構造図
【図２】別の実施形態を表す空気環境改善装置の模式構造図
【図３】別の実施形態を表す空気環境改善装置の模式構造図
【符号の説明】
【００３３】
１０    マイナスイオン発生体
１２    通気孔
２０    貯水槽
３０    吸水フィルター
４０    収容室
４２    流入口
４４    排出口
４６    水供給口
Ｗ      水
【図１】
2006002983.tif 000004
【図２】
2006002983.tif 000005
【図３】
2006002983.tif 000006